(57)【特許請求の範囲】
【請求項１】
内周側に非信号記録領域を有するディスク状記録媒体を収納したディスクカートリッジが挿入保持されるとともに、上記ディスクカートリッジの挿入取り出しが行われる第１の位置と、ディスク状記録媒体に対し記録又は再生が行われる第２の位置との間に亘って回動可能に支持されたホルダ部材と、
上記ホルダ部材上に延在され、上記ホルダ部材に保持されたディスクカートリッジに収納されたディスク状記録媒体に接離するヘッド装置を先端側に支持するとともに、上記ディスクカートリッジに収納されたディスク状記録媒体の内外周に亘って移動可能に支持されたヘッド支持アームと、
上記ホルダ部材と上記ヘッド支持アームとの間に位置して上記ホルダ部材に回動可能に取り付けられ、上記ヘッド装置を上記ホルダ部材に保持されたディスクカートリッジに収納されたディスク状記録媒体から離間させた第１の位置と、上記ヘッド装置を上記ディスク状記録媒体に接触可能とする第２の位置との間に亘って上記ヘッド支持アームを回動操作するヘッド操作部材と、
上記ホルダ部材に保持されたディスクカートリッジに収納されたディスク状記録媒体の内周側の非信号記録領域に臨むように上記ヘッド操作部材に設けられた検出ピンを有し、
上記ヘッド操作部材は、上記ホルダ部材に上記ヘッド装置が進入する開口部が形成されたディスクカートリッジが挿入されたときには、上記検出ピンを上記開口部から上記ディスクカートリッジ内に進入させるように回動し、上記ヘッド装置が第２の位置に移動するように上記ヘッド支持アームを回動させ、上記ホルダ部材に上記ヘッド装置が進入する開口部が設けられていないディスクカートリッジが挿入されたときには、上記検出ピンを上記ディスクカートリッジに当接させて上記ヘッド装置が第１の位置に移動するように上記ヘッド支持アームを回動させることを特徴とするディスクプレーヤ装置。
【請求項２】
上記ヘッド操作部材は、上記ホルダ部材に設けた上記ヘッド装置を上記ホルダ部材内に進入させる透孔を挟んで上記ヘッド支持アームに対向する位置に軸を介して回動可能に支持され、上記ヘッド支持アーム側に向けた一端側部分により上記ヘッド支持アームを支持することを特徴とする請求項１記載のディスクプレーヤ装置。
【発明の詳細な説明】
【０００１】
【産業上の利用分野】
本発明は、ディスクカートリッジの如き記録媒体を用いて情報信号の記録及び再生を行うディスクプレーヤ装置に関する。
【０００２】
【従来の技術】
従来、光ディスク、磁気ディスク、または、光磁気ディスクの如き記録ディスクをカートリッジに収納して構成されたディスクカートリッジを記録媒体として用い、情報信号の記録及び再生を行うように構成されたディスクプレーヤ装置が提案されている。
【０００３】
上記記録媒体として光磁気ディスクをカートリッジに収納して構成されたディスクカートリッジを用いるディスクプレーヤ装置は、光学ピックアップ装置及び磁気ヘッド装置を有して構成された記録再生部を備えている。この記録再生部は、このディスクプレーヤ装置のシャーシ上に配設されている。
【０００４】
上記光学ピックアップ装置は、上記シャーシに支持されて上方側に向けて配設されている。上記磁気ヘッド装置は、上記光学ピックアップ装置に基端側を支持されたヘッドアームの先端側に、ジンバルバネ（リミッタバネ）を介して取り付けられ、該光学ピックアップ装置の対物レンズに対向して下方側に向けて配設されている。
【０００５】
そして、このディスクプレーヤ装置は、上記ディスクカートリッジを保持して、このディスクカートリッジを上記記録再生部に装着させるためのホルダ部材としてカートリッジホルダを備えている。
【０００６】
上記カートリッジホルダは、上記ディスクカートリッジが前方側より挿入されてこのディスクカートリッジを保持し得る薄い筐体状に構成され、後端側を上記シャーシに回動可能に支持されている。このカートリッジホルダは、上記光学ピックアップ装置と上記磁気ヘッド装置との間に位置して配設されている。
【０００７】
このカートリッジホルダは、上記シャーシより上方側に離間されたアンローディング位置となされているときに、上記ディスクカートリッジの挿入操作及び取り出し操作をなされる。そして、このカートリッジホルダは、上記ディスクカートリッジを保持している状態で、上記シャーシに近接されたローディング位置となされると、このディスクカートリッジを、上記記録再生部に装着させる。
【０００８】
そして、このディスクプレーヤ装置においては、上記カートリッジホルダ及び上記ヘッドアーム上には、上蓋が配設されている。この上蓋は、上記カートリッジホルダ及び上記ヘッドアームを覆い得るように下方側が開放された略々筐体状に構成され、後端側を回動可能に支持されている。この上蓋は、上記シャーシより離間する上方側に回動されて開蓋されると、上記カートリッジホルダを吊り上げて回動させて、上記アンローディング位置となすようになされている。
【０００９】
上記記録再生部において、上記ヘッド装置は、上記カートリッジホルダが上記ローディング位置となされたときに、このカートリッジホルダに開設された透孔を介して、上方側よりこのカートリッジホルダ内に進入される。このとき、上記磁気ヘッド装置は、装着されているディスクカートリッジが記録再生兼用ディスクカートリッジであるときには、このディスクカートリッジのカートリッジの上面部に設けられた開口部を介してこのカートリッジ内に進入し、このカートリッジに収納された記録ディスクに近接する。
【００１０】
そして、このヘッド装置は、上記カートリッジホルダが上記アンローディング位置となされたとき、及び、再生専用に構成された再生専用ディスクカートリッジが該カートリッジホルダに挿入されたときには、上記ヘッドアームが上方側に回動操作されることにより、上記カートリッジホルダ内より上方側に退出される。
【００１１】
【発明が解決しようとする課題】
ところで、上述のようなディスクプレーヤ装置においては、装着されるディスクカートリッジの種別、例えば、記録再生兼用ディスクカートリッジか再生専用ディスクカートリッジかに依って、上記磁気ヘッド装置の位置を制御する必要がある。
【００１２】
すなわち、上記再生専用ディスクカートリッジには上記磁気ヘッド装置がカートリッジ内に進入するための開口部が存在しないので、この再生専用ディスクカートリッジが上記カートリッジホルダに挿入されたときには、該磁気ヘッド装置をこの再生専用ディスクカートリッジより離間させておかないと、この磁気ヘッド装置は、上記カートリッジに当接し、破損される虞れがある。
【００１３】
上記磁気ヘッド装置の上記ディスクカートリッジの種別に応じた位置制御は、装着されたディスクカートリッジの種別を検出するスイッチの如きセンサの出力に応じて、モータ、プランジャの如き電磁駆動装置を駆動することにより行っている。
【００１４】
このように、スイッチ等のセンサやモータ、プランジャ等を設けることは、ディスクプレーヤ装置の装置構成の複雑化、大型化を招来している。
【００１５】
なお、上記磁気ヘッド装置の位置制御のための駆動力を、記録ディスクを回転操作するためのスピンドルモータや光学ピックアップ装置を送り操作するためのスレッドモータより得ることが考えられるが、駆動力の伝達のための機構が複雑となり、実現は困難である。
【００１６】
また、カートリッジの端部分にディスクカートリッジの種別に応じて設けられた識別用の凹部に倣って、上記磁気ヘッド装置の位置を機械的に制御することが考えられる。しかしながら、この凹部の形状のディスクカートリッジの種別に依る差異が小さいため、上記磁気ヘッド装置を充分な距離に亘って移動させることは困難であり、また、カートリッジの位置の誤差に依って生ずる該磁気ヘッド装置の位置の誤差が大きいため、該磁気ヘッド装置の位置を正確に制御することはできない。
【００１７】
そこで、本発明は、上述の実情に鑑みて提案されるものであって、装置構成の簡素化、小型化を図るとともに、装着される記録媒体の種別に応じた確実な磁気ヘッド装置の位置の制御が行えるようになされたディスクプレーヤ装置を提供することを目的とする。
【００１８】
【課題を解決するための手段】
上述の課題を解決し、上記目的を達成するため、本発明に係るディスクプレーヤ装置は、内周側に非信号記録領域を有するディスク状記録媒体を収納したディスクカートリッジが挿入保持されるとともに、上記ディスクカートリッジの挿入取り出しが行われる第１の位置と、ディスク状記録媒体に対し記録又は再生が行われる第２の位置との間に亘って回動可能に支持されたホルダ部材と、上記ホルダ部材上に延在され、上記ホルダ部材に保持されたディスクカートリッジに収納されたディスク状記録媒体に接離するヘッド装置を先端側に支持するとともに、上記ディスクカートリッジに収納されたディスク状記録媒体の内外周に亘って移動可能に支持されたヘッド支持アームと、上記ホルダ部材と上記ヘッド支持アームとの間に位置して上記ホルダ部材に回動可能に取り付けられ、上記ヘッド装置を上記ホルダ部材に保持されたディスクカートリッジに収納されたディスク状記録媒体から離間させた第１の位置と、上記ヘッド装置を上記ディスク状記録媒体に接触可能とする第２の位置との間に亘って上記ヘッド支持アームを回動操作するヘッド操作部材と、上記ホルダ部材に保持されたディスクカートリッジに収納されたディスク状記録媒体の内周側の非信号記録領域に臨むように上記ヘッド操作部材に設けられた検出ピンを有し、上記ヘッド操作部材は、上記ホルダ部材に上記ヘッド装置が進入する開口部が形成されたディスクカートリッジが挿入されたときには、上記検出ピンを上記開口部から上記ディスクカートリッジ内に進入させるように回動し、上記ヘッド装置が第２の位置に移動するように上記ヘッド支持アームを回動させ、上記ホルダ部材に上記ヘッド装置が進入する開口部が設けられていないディスクカートリッジが挿入されたときには、上記検出ピンを上記ディスクカートリッジに当接させて上記ヘッド装置が第１の位置に移動するように上記ヘッド支持アームを回動させるようにしたものである。
【００２１】
また、上記ヘッド操作部材は、上記ホルダ部材に設けた上記ヘッド装置を上記ホルダ部材内に進入させる透孔を挟んで上記ヘッド支持アームに対向する位置に軸を介して回動可能に支持され、上記ヘッド支持アーム側に向けた一端側部分により上記ヘッド支持アームを支持するようにしたものであってもよい。
【００２３】
【作用】
本発明に係るディスクプレーヤ装置は、ホルダ部材にヘッド装置が進入する開口部が形成されたディスクカートリッジが挿入されたときには、検出ピンが開口部からディスクカートリッジ内に進入し、ヘッド装置が第２の位置に移動するようにヘッド支持アームを回動させ、ホルダ部材にヘッド装置が進入する開口部が設けられていないディスクカートリッジが挿入されたときには、検出ピンをディスクカートリッジに当接させてヘッド装置が第１の位置に移動するようにヘッド支持アームを回動させ、ヘッド装置のディスクカートリッジへの接触を阻止する。
【００２６】
また、ヘッド操作部材は、上記ホルダ部材に設けた上記ヘッド装置を上記ホルダ部材内に進入させる透孔を挟んで上記ヘッド支持アームに対向する位置に軸を介して回動可能に支持され、上記ヘッド支持アーム側に向けた一端側部分により上記ヘッド支持アームを支持するように構成されることにより、ヘッド操作部材の回動角度に対して、該ヘッド支持アームの回動角度を充分に大きくすることができる。
【００２８】
【実施例】
以下、本発明の具体的な実施例を図面を参照しながら説明する。
【００２９】
この例は、本発明に係るディスクプレーヤ装置を、光磁気ディスクをカートリッジに収納して構成された記録再生兼用ディスクカートリッジを記録媒体として用いた情報信号の記録及び再生、並びに、光ディスクをカートリッジに収納して構成された再生専用ディスクカートリッジを記録媒体として用いた情報信号の再生を行う装置として構成した例である。
【００３０】
以下の順序により説明する。
【００３１】
［１］ディスクカートリッジの構成
［２］ディスクプレーヤ装置の構成の概要
［３］ディスクプレーヤ装置の構成
［１］ディスクカートリッジの構成
このディスクプレーヤ装置において使用される光磁気ディスクは、直径が例えば６４ｍｍ程度、あるいは、これより大径の、ポリカーボネイト、アクリルの如き透明合成樹脂材料、または、硝子材料よりなる円盤状のディスク基板に、磁性材料からなる信号記録層が被着形成されて構成されている。
【００３２】
この信号記録層は、集光されたレーザビームの照射等の手段により局所的にいわゆるキュリー温度以上に加熱され、この加熱された部分に外部磁界が印加されることにより、情報信号の書き込みをなされる。このように書き込まれた情報信号は、上記信号記録層にレーザビームの如き直線偏光光束を照射し、この光束の反射光束についての該記信号記録層におけるいわゆるカー効果による偏光方向の回転角度を検出することにより、読み出すことができる。
【００３３】
また、上記光ディスクは、上記光磁気ディスクのディスク基板と同様のディスク基板に、アルミニウムの如き金属材料よりなる反射層が被着形成されて構成されている。この光ディスクのディスク基板には、射出成形等の手段により、情報信号に対応した微細なピット列が形成されている。
【００３４】
この光ディスクに書き込まれている情報信号は、上記ピット列にレーザビームの如きコヒーレント光光束を照射し、この光束の反射光束についての該記信号記録層における拡散や干渉による光量の変化量を検出することにより、読み出すことができる。
【００３５】
上記光磁気ディスク、または、上記光ディスクである記録ディスクの中央部分には、図１１及び図１３に示すように、円形のチャッキング用透孔１０４が開設されている。そして、記録ディスクには、チャッキング用透孔１０４を上方側より閉蓋するようにして、円盤状のチャッキングプレート１０２が取り付けられている。このチャッキングプレート１０２は、鉄、ステンレスの如き磁性を有する金属材料により形成されている。
【００３６】
上記記録ディスクは、ディスクプレーヤ装置において、回転操作されるディスクテーブルの上面部に形成された円錐台状の突起部により、上記チャッキング用透孔１０４を基準として、ディスク基板の主面部に沿う方向の位置決め、すなわち、センタリングをなされる。
【００３７】
また、上記記録ディスクは、上記ディスクテーブルに内蔵されたマグネットにより、上記チャッキングプレート１０２を吸引され、該ディスクテーブル上に保持される。このとき、上記ディスクテーブルの上記突起部の周囲部分は、上記記録ディスクの上記チャッキング用透孔１０４の周囲部分を当接支持し、上記ディスク基板の主面部に垂直な方向、すなわち、高さ位置の位置決めを行う。
【００３８】
そして、光磁気ディスクは、図１０及び図１１に示すように、カートリッジ１０５に回転可能に収納されて、情報信号の記録再生兼用ディスクカートリッジ１２０を構成する。また、光ディスクは、図１２及び図１３に示すように、カートリッジ１１６に回転可能に収納されて、情報信号の再生専用ディスクカートリッジ１２１を構成する。
【００３９】
上記光磁気ディスクを収納して記録再生兼用ディスクカートリッジ１２０を構成する上記カートリッジ１０５は、上ハーフ及び下ハーフが突き合わせ結合されることにより、一辺の長さが該光磁気ディスクの直径に略々対応した矩形状の主面部を有する薄い筐体状に構成されている。
【００４０】
このカートリッジ１０５は、図１０に示すように、上面側の主面部に、光磁気ディスクの信号記録面の一部を外方に臨ませるための磁気ヘッド用開口部１２３を有している。
【００４１】
この磁気ヘッド用開口部１２３は、本発明に係るディスクプレーヤ装置の検出部材が進入するための開口部となるものであって、上記上ハーフの主面部の略々中央部分より、この主面部の一側縁部近傍に亘って、長方形状に形成されている。
【００４２】
また、このカートリッジ１０５は、下面側の主面部の上記磁気ヘッド用開口部１２３に対向する位置に光学ピックアップ用開口部１２２を有し、この下面側の主面部の略々中央部分にチャッキング用開口部１１３を有している。このチャッキング用開口部１１３は、上記チャッキング用透孔１０４及び上記チャッキングプレート１０２を外方に臨ませている。
【００４３】
この記録再生兼用ディスクカートリッジ１２０は、上記ディスクプレーヤ装置に対して、図１０及び図１１中矢印Ａで示すように、前方方向に挿入されて装着される。
【００４４】
上記記録再生兼用ディスクカートリッジ１２０のカートリッジ１０５において、上記磁気ヘッド用開口部１２３及び上記光学ピックアップ用開口部１２２は、シャッタ部材１０６に依って開閉可能となされている。
【００４５】
このシャッタ部材１０６は、これら開口部１２３，１２２に対応した互いに平行に相対向された上側及び下側蓋板部と、これら各蓋板部の一端側同士間を連結する被支持板部とを有して、薄い金属板材料により、一体的に構成されている。このシャッタ部材１０６は、上記被支持板部を、上記カートリッジ１０５の一側部に前後方向に亘って形成されたガイド溝部１０７に沿って摺動可能に支持されている。
【００４６】
上記シャッタ部材１０６は、上記カートリッジ１０５の一側縁部に沿って後方にスライドされることにより上記各開口部１２３，１２２を開蓋し、後方側より前方にスライドされて初期位置に復帰されると上記各蓋板部により該各開口部１２３，１２２を閉蓋する。
【００４７】
なお、上記カートリッジ１０５の上下主面部において、上記各蓋板部が移動する領域には、該各蓋板部の厚さに対応した深さの凹部が形成されている。したがって、上記各蓋板部は、上記凹部内に位置することによって、上記カートリッジ１０５の主面部に対して面一な状態となされている。
【００４８】
また、上記カートリッジ１０５の上側の主面部には、上記凹部が形成された領域の外に、ラベル貼付領域１１５が形成されている。このラベル貼付領域１１５は、貼付されるラベルの厚さに対応した深さを有し該ラベルの形状に対応した形状の凹部として形成されている。
【００４９】
そして、上記光ディスクを収納して再生専用ディスクカートリッジ１２１を構成する上記カートリッジ１１６は、上ハーフ及び下ハーフが突き合わせ結合されることにより、一辺の長さが該光磁気ディスクの直径に略々対応した矩形状の主面部を有する薄い筐体状に構成されている。
【００５０】
このカートリッジ１１６は、下面側の主面部に、上記光ディスクの信号記録面の一部を外方に臨ませるための光学ピックアップ用開口部１２２を有している。この光学ピックアップ用開口部１２２は、上記下ハーフの主面部の略々中央部分より、この主面部の一側縁部近傍に亘って、長方形状に形成されている。
【００５１】
また、このカートリッジ１０５は、下面側の主面部の略々中央部分にチャッキング用開口部１１３を有している。このチャッキング用開口部１１３は、上記チャッキング用透孔１０４及び上記チャッキングプレート１０２を外方に臨ませている。
【００５２】
この再生専用ディスクカートリッジ１２１は、上記ディスクプレーヤ装置に対して、図１２及び図１３中矢印Ａで示すように、前方方向に挿入されて装着される。
【００５３】
上記再生専用ディスクカートリッジ１２１のカートリッジ１１６において、上記上記光学ピックアップ用開口部１２２は、シャッタ部材１１７に依って開閉可能となされている。
【００５４】
このシャッタ部材１１７は、上記開口部１２２に対応した下側蓋板と、この下側蓋板部の一端側に連設された被支持板部とを有して、薄い金属板材料により、一体的に構成されている。
【００５５】
このシャッタ部材１１７は、上記被支持板部を、上記カートリッジ１１６の一側部に前後方向に亘って形成されたガイド溝部１０７に沿って摺動可能に支持されている。
【００５６】
上記シャッタ部材１１７は、上記カートリッジ１０５の一側縁部に沿って後方にスライドされることにより上記光学ピックアップ用開口部１２２を開蓋し、後方側より前方にスライドされて初期位置に復帰されると上記下側蓋板部により該光学ピックアップ用開口部１２２を閉蓋する。
【００５７】
なお、上記カートリッジ１１６の下側主面部において、上記下側蓋板部が移動する領域には、該下側蓋板部の厚さに対応した深さの凹部が形成されている。したがって、上記下側蓋板部は、上記凹部内に位置することによって、上記カートリッジ１１６の下側の主面部に対して面一な状態となされている。
【００５８】
また、上記カートリッジ１１６の上側の主面部には、略々全面に亘って、ラベル貼付領域１１９が形成されている。このラベル貼付領域１１９は、貼付されるラベルの厚さに対応した深さを有し該ラベルの形状に対応した形状の凹部として形成されている。
【００５９】
上記各シャッタ部材１０６，１１７には、上記被支持板部の略々中央位置に、側方側に向けて、閉蓋操作孔１０８が開設されている。この閉蓋操作孔１０８は、上記ディスクプレーヤ装置において上記各シャッタ部材１０６，１１７を閉蓋操作するためのシャッタ閉蓋爪が嵌入係合するための透孔である。
【００６０】
なお、上記ガイド溝部１０７は、上記カートリッジ１０５，１１７の前端面部にまで亘って形成され、この前端面部対し開放されている。
【００６１】
上記カートリッジ１０５，１１６内には、前方側の一側側部分に位置して、ロック部材が配設されている。このロック部材は、支軸部と、この支軸部より突出形成された支持腕部及びロック腕部とを有して、合成樹脂材料により、一体的に形成されている。
【００６２】
このロック部材は、上記支軸部を、上記カートリッジ１０５，１１６内の嵌合凹部に嵌合させて配設されている。そして、このロック部材は、上記支持腕部を上記カートリッジ１０５，１１６内に突設された壁部に当接させて上記支軸部回りの回動を阻止された状態で、上記ロック腕部を上記ガイド溝部１０７内に内側側より臨ませている。このロック腕部は、上記ロック部材の弾性力により、外方側に弾性付勢されている。
【００６３】
上記ロック腕部は、上記シャッタ部材１０６，１１７が上記各開口部１２３，１２２を閉蓋する位置である閉蓋位置にあるときに、このシャッタ部材１０６，１１７に係合し、このシャッタ部材１０６，１１７が後方側、すなわち、上記各開口部１２３，１２２を開蓋させる方向へ移動することを阻止する。
【００６４】
そして、このロック腕部は、上記ロック部材の弾性力に抗して内方側に変位されると、上記シャッタ部材１０６，１１７の第１のガイド爪への係合を解除し、このシャッタ部材１０６，１１７が後方側へ移動することを可能となす。
【００６５】
また、このロック腕部は、上記シャッタ部材１０６，１１７が後方の開蓋位置より前方側に移動されて上記閉蓋位置に至ると、上記ロック部材の弾性力により、該シャッタ部材１０６，１１７に係合する。
【００６６】
そして、上記各カートリッジ１０５，１１６の下側主面部には、対をなす前方側及び後方側位置決め穴１０９，１１０が形成されている。上記前方側位置決め穴１０９は、上記光学ピックアップ用開口部１２２の前方側の主面部の縁部近傍に位置しており、長径方向が前後方向となされた長円形に形成されている。また、上記後方側位置決め穴１１０は、上記光学ピックアップ用開口部１２２の後方側の主面部の縁部近傍に位置しており、円形に形成されている。
【００６７】
また、上記各カートリッジ１０５，１１６の下側主面部後方側の他側側の縁部近傍には、複数の識別用穴１２４が形成されている。これら識別用穴１２４は、これらカートリッジ１０５，１１６が収納している記録ディスクの種別や状態、例えば情報信号の記録が可能か否かを識別するためのものである。
【００６８】
上記記録再生兼用ディスクカートリッジ１２０のカートリッジ１０５内には、上記識別用穴１２４に対応して、セーブノッチが配設されている。このセーブノッチは、上記カートリッジ１０５の後面部に開設された操作孔１１４を介して、後方側の外方に臨んでいる。このセーブノッチは、上記操作孔１１４を介して移動操作されることにより、上記識別用穴１２４のうちの一の内方位置に対して進退し、この識別用穴１２４の深さを変えて、情報信号の記録可否の識別状態を切り換える。
【００６９】
さらに、これら各カートリッジ１０５，１１６の下側主面部前方側の両側側の縁部には、一対の係合凹部１１２，１１２が形成されている。
【００７０】
上記記録再生兼用ディスクカートリッジ１２０のカートリッジ１０５においては、下側主面部の前方側縁部に、光磁気ディスク識別凹部１１１が形成されている。また、上記再生専用ディスクカートリッジ１２１のカートリッジ１１６においては、下側主面部の前方側縁部に、光ディスク識別凹部１１８が形成されている。
【００７１】
これら光磁気ディスク識別凹部１１１と光ディスク識別凹部１１８とは、互いに下側主面部よりの深さが異なっており、この深さの違いにより、収納されている記録ディスクが上記光磁気ディスクか上記光ディスクかを識別できるようになされている。
【００７２】
［２］ディスクプレーヤ装置の構成の概要
このディスクプレーヤ装置は、外筐本体及び上蓋からなる図示しない外筐体を有して構成される。上記外筐本体は、上面側が開放されて構成されており、この上面側を上記上蓋により開閉可能となされている。上記上蓋は、後端側を、上記外筐本体の後端側に対して、上蓋支軸を介して回動可能に支持されている。この上蓋は、上記上蓋支軸を中心に上方側に回動操作されることにより、上記外筐本体の上面側を開蓋する。
【００７３】
なお、上記上蓋は、上記外筐本体に対し、掛止部材により閉蓋状態に掛止され、該外筐本体に設けられた掛止解除ノブを操作することにより、該掛止部材による掛止を解除される。
【００７４】
このディスクプレーヤ装置においては、上記上蓋を開蓋して、上記外筐体内に上記記録再生兼用ディスクカートリッジ１２０または再生専用ディスクカートリッジ１２１を装着することにより、上記光磁気ディスクに対する情報信号の記録または再生、並びに、上記光ディスクよりの情報信号の再生を行うことができる。
【００７５】
上記外筐体の外面部には、このディスクプレーヤ装置に対して種々の動作モードの実行を指示するための複数の操作釦が配設されている。すなわち、上記外筐体の外面部には、再生釦、停止釦、フォワードトラックジャンプ釦、リバーストラックジャンプ釦、録音釦が配設され、これら各釦は、上記外筐体内に配設されこのディスクプレーヤ装置の動作を制御する制御回路に接続されている。
【００７６】
また、上記外筐体外面部には、上記制御回路または上記外筐体内に配設される信号処理回路に接続された複数の接続ジャックが設けられている。さらに、上記上蓋には、上記制御回路に接続され、種々の情報を文字や図形により表示する表示デバイスが配設されている。
【００７７】
［３］ディスクプレーヤ装置の構成
上記外筐本体内には、図１乃至図３、図５乃至図７に示すように、略々平板状のシャーシ１６が固定して配設されている。このシャーシ１６上には、上記各ディスクカートリッジ１２０，１２１を位置決めして保持するためのディスクテーブル２５及びカートリッジ位置決めピン１７，１８が配設されている。
【００７８】
上記ディスクテーブル２５は、上記シャーシ１６の下面部に取り付けられたスピンドルモータ２４の駆動軸に取り付けられている。この駆動軸は、上記シャーシ１６に設けられた透孔を介して、このシャーシ１６の上面側に突出されている。
【００７９】
上記ディスクテーブル２５は、略々円盤状に形成されており、上記カートリッジ１０５，１１６のチャッキング用開口部１１３を介して該カートリッジ１０５，１１６内に進入され得るようになされている。このディスクテーブル２５は、上面部に上記チャッキング孔１０４に嵌入する円錐台状の突起部及び上記チャッキングプレート１０２を吸引するマグネットを有している。
【００８０】
このディスクテーブル２５は、上記チャッキング用開口部１１３を介して上記カートリッジ１０５，１１６内に進入すると、外周縁部近傍に上記チャッキング孔１０４の周囲部を載置させるとともに、上記突起部を該チャッキング孔１０４内に嵌入させ、さらに、上記マグネットにより上記チャッキングプレート１０２を吸引することによって、上記光磁気ディスクまたは上記光ディスクを位置決めして保持することができる。
【００８１】
このように上記ディスクテーブル２５により保持された光磁気ディスクまたは光ディスクは、上記スピンドルモータ２４により回転操作される。
【００８２】
上記カートリッジ位置決めピン１７，１８は、上記シャーシ１６上に突設されており、このシャーシ１６上に上記記録再生兼用ディスクカートリッジ１２０または上記再生専用ディスクカートリッジ１２１が載置されると、上記カートリッジ１０５，１１６の前方側及び後方側位置決め穴１０９，１１０に対応して嵌合されて、該カートリッジ１０５，１１６の位置決めを行う。
【００８３】
上記シャーシ１６の下面側には、光学ピックアップ装置２１が配設されている。この光学ピックアップ装置２１は、レーザダイオードの如き光源、この光源より発する光束を導く種々の光学デバイス及び受光素子を有し、対物レンズを介して上記光磁気ディスク及び上記光ディスクに光束を照射して、該光磁気ディスク及び光ディスクよりの情報信号の読み出しが行えるように構成されている。
【００８４】
この光学ピックアップ装置２１は、上記シャーシ１６の下面側に互いに平行となされて配設された一対のガイドシャフト２２，２３により、これらガイドシャフト２２，２３に沿って移動可能に支持されている。この光学ピックアップ装置２１は、上記各ガイドシャフト２２，２３に沿って移動されることにより、上記スピンドルモータ２４により回転操作される光磁気ディスク及び光ディスクの信号記録領域の全域よりの情報信号の読み出しが行えるようになされている。
【００８５】
上記光学ピックアップ装置２１には、ヘッド支持アームとなる連結アーム２６及びヘッドアーム２８を介して、ヘッド装置である磁気ヘッド装置３１が取り付けられている。上記連結アーム２６は、上記光学ピックアップ装置２１に基端側を取り付けられ、先端側を上記シャーシ１６の後端縁よりも後方側に延在させている。この連結アーム２６の先端側は、上方側に屈曲されている。この連結アーム２６の先端部には、板バネ２７を介して、上記ヘッドアーム２８の基端側が、該板バネ２７の厚み方向に揺動可能に取り付けられている。
【００８６】
なお、上記連結アーム２６の先端側と上記ヘッドアーム２８の基端側とは、上記板バネ２７に代えて、該ヘッドアーム２８の基端側を回動可能に支持する回動支軸を介して連結されることとしてもよい。
【００８７】
上記磁気ヘッド装置３１は、図４に示すように、上記ヘッドアーム２８の先端側に、ジンバルバネ３０を介して、下方側に向いて取り付けられており、上記光学ピックアップ装置２１の対物レンズに対向している。
【００８８】
この磁気ヘッド装置３１は、上記板バネ２７が変位されて上記ヘッドアーム２８が移動操作されることにより、上記対物レンズに対する接離方向に移動操作される。上記ジンバルバネ３０は、薄い板バネであって、厚み方向に変位することにより、上記磁気ヘッド装置３１の上下方向の移動を可能となしている。
【００８９】
また、上記ヘッドアーム２８の先端側には、ストッパアーム２９が一体的に連設されて前端側に延在されている。このストッパアーム２９の先端側は、上記ジンバルバネ３０の上方側に位置するように屈曲されて掛止部３９となされている。そして、上記掛止部３９には、上記ジンバルバネ３０の先端側の上面部に形成された掛止保持部３３が掛止されている。
【００９０】
なお、上記ジンバルバネ３０には、上記掛止部３９のこのジンバルバネ３０への当接を防止するための切り欠き部及びこのジンバルバネ３０の弾性力を調整するための透孔部が設けられている。
【００９１】
上記シャーシ１６上には、上記光学ピックアップ装置２１と上記磁気ヘッド装置３１との間に介在されて、ホルダ部材となるカートリッジホルダ１９が配設されている。
【００９２】
すなわち、上記ヘッドアーム２８は、上記上蓋とこのカートリッジホルダ１９との間に位置している。このカートリッジホルダ１９は、上記記録再生兼用ディスクカートリッジ１２０及び上記再生専用ディスクカートリッジ１２１が開放された前方側より挿入され得る薄い筐体状に形成されている。
【００９３】
このカートリッジホルダ１９は、後端側を、上記シャーシ１６の後方側に設けられた支持片部に対して、カートリッジホルダ支軸２０を介して、回動可能に支持されている。
【００９４】
このカートリッジホルダ１９は、図６に示すように、上記シャーシ１６より離間する上方側に回動された位置であるアンローディング位置となされることにより、前方側よりの上記各ディスクカートリッジ１２０，１２１の挿入操作及び前方側への該各ディスクカートリッジ１２０，１２１の取り出し操作が行えるようになされている。
【００９５】
前方側より上記ディスクカートリッジ１２０，１２１を挿入されたカートリッジホルダ１９は、挿入されたディスクカートリッジ１２０，１２１を保持する。また、ディスクカートリッジ１２０，１２１は、上記カートリッジホルダ１９に挿入されることにより、上記シャッタ部材１０６，１１７を開蓋される。
【００９６】
そして、このカートリッジホルダ１９は、上面部の一側側部分に、上記磁気ヘッド装置３１がこのカートリッジホルダ１９内に進入するための透孔３４が開設されている。また、このカートリッジホルダ１９は、下面側に上記ディスクテーブル２５及び上記各カートリッジ位置決めピン１７，１８が進入するとともに上記光学ピックアップ装置２１が上記各ディスクカートリッジ１２０，１２１に臨むための開口部が形成されている。
【００９７】
このカートリッジホルダ１９は、上記ディスクカートリッジ１２０，１２１を保持した状態で、上記シャーシ１６に近接する下方側に回動された位置であるローディング位置となされると、図１、図２、図５及び図７に示すように、保持しているディスクカートリッジ１２０，１２１を上記各位置決めピン１７，１８及び上記ディスクテーブル２５に装着させる。
【００９８】
すなわち、上記ローディング位置となされたカートリッジホルダ１９に保持されているディスクカートリッジ１２０，１２１は、上記カートリッジ１０５，１１６を上記各カートリッジ位置決めピン１７，１８により位置決めされるとともに、上記光磁気ディスクまたは上記光ディスクを上記ディスクテーブル２５により位置決めされて保持される。
【００９９】
そして、上記カートリッジホルダ１９の上面部には、このカートリッジホルダ１９と上記ヘッドアーム２８との間に位置して、ヘッド操作部材となるヘッドリフト板１が配設されている。
【０１００】
このヘッドリフト板１は、略々平板状に形成され、後縁側部分を、上記カートリッジホルダ１９に対し、支軸２を介して、回動可能に支持されている。このヘッドリフト板１は、前端側を上記カートリッジホルダ１９の上面部より所定の距離だけ離間させる上方側位置である第１の位置と、このカートリッジホルダ１９の上面部に沿う下方側位置である第２の位置とに亘って、回動可能となされている。
【０１０１】
このヘッドリフト板１の前端縁部には、検出部材となる検出ピン４が、下方側に向けて突設されている。この検出ピン４は、上記カートリッジホルダ１９に設けられた透孔３４の後方側部分に臨んでいる。
【０１０２】
また、この検出ピン４は、上記カートリッジホルダ１９に保持された記録再生兼用ディスクカートリッジ１２０の光磁気ディスクに対しては、上記磁気ヘッド用開口部１２３を介して、内周側の非信号記録領域に臨むように位置されている。
【０１０３】
上記ヘッドリフト板１の一側部には、掛合片部３が設けられている。この掛合片部３は、上記カートリッジホルダ１９の側縁部よりも側方側に突出されている。そして、上記上蓋の下面部には、上記ヘッドリフト板１を介して上記カートリッジホルダ１９を上方側に吊り上げるための、上記掛合片部３に対応した鈎状突片が設けられている。
【０１０４】
上記カートリッジホルダ１９が上記ローディング位置となされ、上記上蓋が上記筐体本体の上面部を閉蓋する閉蓋位置となされているときには、上記鈎状突片の先端側部分は、上記掛合片部３の下方側、すなわち、上記シャーシ１６側に、該掛合片部３に対して所定の距離を隔てて位置している。
【０１０５】
上記上蓋が上方側に回動されると、まず、上記鈎状突片の先端側部分が、上記掛合片部３の下面部に当接する。このとき、上記カートリッジホルダ１９は、未だ、上記ローディング位置となされている。そして、さらに、上記上蓋が上方側に回動されると、上記ヘッドリフト板１は、上記掛合片部３を上記鈎状突片により吊り上げられて、図６中矢印Ｄで示すように、上記磁気ヘッド装置３１を上記カートリッジホルダ１９内より退出させる第１の位置まで上方側に回動される。さらに上記上蓋が上方側に回動されると、上記カートリッジホルダ１９は、図３及び図６において矢印Ｂで示すように、上記ヘッドリフト板１に追従して、上記アンローディング位置まで回動される。
【０１０６】
上記開蓋位置となされた上蓋を下方側に回動させると、先ず、上記カートリッジホルダ１９が上記ローディング位置まで回動され、次いで、上記ヘッドリフト板１が該カートリッジホルダ１９側に回動されて第２の位置となされる。そして、上記鈎状突起の先端側部分と上記掛合片部３とが離間され、上記上蓋は、上記閉蓋位置となされる。
【０１０７】
上述のように本発明に係るディスクプレーヤ装置を有して構成されたディスクプレーヤ装置においては、初期状態においては、上記ディスクカートリッジ１２０，１２１が上記カートリッジホルダ１９に挿入されておらず、このカートリッジホルダ１９は、上記ローディング位置となされている。
【０１０８】
このとき、上記磁気ヘッド装置３１は、上記透孔３４を介して、上記カートリッジホルダ１９内に進入されている。
【０１０９】
上記上蓋が開蓋されて上記カートリッジホルダ１９がアンローディング位置となされると、図３及び図６に示すように、上記磁気ヘッド装置３１は、上記ヘッドリフト板１が第１の位置となされていることにより、該カートリッジホルダ１９の上方側に退出されており、該カートリッジホルダ１９への上記ディスクカートリッジ１２０，１２１の挿入操作を可能とする。
【０１１０】
上記記録再生兼用ディスクカートリッジ１２０が上記カートリッジホルダ１９に挿入されると、この記録再生兼用ディスクカートリッジ１２０は、上記シャッタ部材１０６を開蓋操作される。すなわち、このとき、上記磁気ヘッド用開口部１２３が開蓋される。
【０１１１】
そして、上記上蓋が上記シャーシ１６側に回動されると、上記カートリッジホルダ１９が上記ローディング位置となされる。上記カートリッジホルダ１９が上記ローディング位置となされることにより、上記記録再生兼用ディスクカートリッジ１２０は、図７に示すように、上記シャーシ１６上に装着される。
【０１１２】
さらに上記上蓋が上記シャーシ１６側に回動されると、上記ヘッドリフト板１は、上記磁気ヘッド用開口部１２３が開蓋されていることにより、上記検出ピン４を上記透孔３４及び該磁気ヘッド用開口部１２３を介して上記カートリッジ１０５内に進入させ、第２の位置となされる。
【０１１３】
したがって、上記磁気ヘッド装置３１は、上記ヘッドリフト板１に阻害されることなく、上記カートリッジホルダ１９内への進入が可能となされる。
【０１１４】
そして、上記磁気ヘッド装置３１は、上記磁気ヘッド用開口部１２３が開蓋されていることにより、上記透孔３４及び該磁気ヘッド用開口部１２３を介して、該カートリッジホルダ１９に保持されたカートリッジ１０５内に進入する。この磁気ヘッド装置３１は、上記記録再生兼用ディスクカートリッジ１２０の光磁気ディスクに摺接する。
【０１１５】
すなわち、上記シャーシ１６上に装着された上記記録再生兼用ディスクカートリッジ１２０においては、上記光磁気ディスクの下面部に対して上記光学ピックアップ装置２１の対物レンズが対向されるとともに、該光磁気ディスクの上面部に上記磁気ヘッド装置３１が摺接される。
【０１１６】
このように、上記光磁気ディスクの下面部に対して上記光学ピックアップ装置２１の対物レンズが対向され、該光磁気ディスクの上面部に上記磁気ヘッド装置３１が摺接されることにより、この光磁気ディスクに対する情報信号の記録及び再生を行うことができる。
【０１１７】
そして、上記再生専用ディスクカートリッジ１２１が上記カートリッジホルダ１９に挿入されると、この再生専用ディスクカートリッジ１２１は、上記シャッタ部材１１７を開蓋操作される。
【０１１８】
そして、上記上蓋が上記シャーシ１６側に回動されると、上記カートリッジホルダ１９が上記ローディング位置となされる。上記カートリッジホルダ１９が上記ローディング位置となされることにより、上記再生専用ディスクカートリッジ１２１は、図５に示すように、上記シャーシ１６上に装着される。
【０１１９】
さらに上記上蓋が上記シャーシ１６側に回動されると、上記ヘッドリフト板１は、上記検出ピン４を上記透孔３４を介して上記カートリッジホルダ１９内に進入させるも、上記磁気ヘッド用開口部１２３が存在しないことにより、該検出ピン４を上記カートリッジ１１６の上面部により当接支持され、第１の位置と第２の位置との中間の位置となされる。
【０１２０】
したがって、上記磁気ヘッド装置３１は、上記ヘッドアーム２８を介して上記ヘッドリフト板１に支持され、上記再生専用ディスクカートリッジ１２１のカートリッジ１１６より離間した位置に維持される。
【０１２１】
上記シャーシ１６上に装着された上記再生専用ディスクカートリッジ１２１においては、上記光ディスクの下面部に対して上記光学ピックアップ装置２１の対物レンズが対向される。
【０１２２】
このように、上記光ディスクの下面部に対して上記光学ピックアップ装置２１の対物レンズが対向されることにより、この光ディスクよりの情報信号の再生を行うことができる。
【０１２３】
上記ディスクカートリッジ１２０，１２１が上記シャーシ１６上に装着された状態において、上記上蓋が開蓋操作されると、まず、上記ヘッドリフト板１が第１の位置となされ、次いで、上記カートリッジホルダ１９が上記アンローディング位置に回動される。このとき、上記磁気ヘッド装置３１は、図３及び図６に示すように、上記カートリッジホルダ１９内より、上方側に退出されている。
【０１２４】
そして、このとき、上記ディスクカートリッジ１２０，１２１は、上記カートリッジホルダ１９より前方側に取り出されることが可能となされている。
【０１２５】
上記ディスクカートリッジ１２０，１２１は、上記カートリッジホルダ１９より抜き出されることにより、上記シャッタ部材１０６，１１７を閉蓋操作される。
【０１２６】
本発明に係るディスクプレーヤ装置は、上述の実施例に示した構成に限定されることなく、図８に示すように、上記検出ピン４を上記ヘッドアーム２８の下面部に取り付けて構成してもよい。
【０１２７】
この場合においても、上記記録再生兼用ディスクカートリッジ１２０が装着されたときには、上記検出ピン４が上記磁気ヘッド用開口部１２３に進入して上記磁気ヘッド装置３１が上記光磁気ディスクに摺接することが可能となり、上記再生専用ディスクカートリッジ１２１が装着されたときには、該検出ピン４が上記カートリッジ１１６の上面部に当接支持されて該磁気ヘッド装置３１が該カートリッジ１１６より離間した位置に保持される。
【０１２８】
また、本発明に係るディスクプレーヤ装置は、図９に示すように、上記ヘッドリフト板１を、上記ヘッドアーム２８に対し、上記透孔３４を介して対向する位置に設けて構成してもよい。すなわち、このヘッドリフト板１は、上記ヘッドアーム２８に対して上記透孔３４を介して、すなわち、上記カートリッジホルダ１９に挿入された記録再生兼用ディスクカートリッジ１２０の磁気ヘッド用開口部１２３を介して対向する位置に配設された支軸２を介して、上記カートリッジホルダ１９に対して回動可能に支持されている。
【０１２９】
このヘッドリフト板１は、図９中矢印Ｆで示すように、上記上蓋が開蓋されることにより上記掛合片部３を介して上記第１の位置となされると、上記ヘッドアーム２８側、すなわち、後方側に向けた一端側部分に有する支持片部５により、図９中矢印Ｇで示すように、該ヘッドアーム２８を上方側に変位させた位置にて支持する。
【０１３０】
なお、この図９に示したヘッドリフト板１に設けられた検出ピン４は、上記磁気ヘッド用開口部１２３の前端縁側に位置して、この磁気ヘッド用開口部１２３を介して、上記記録再生兼用ディスクカートリッジ１２０のカートリッジ１０５内に進入する。
【０１３１】
この場合には、上記ヘッドリフト板１の上記カートリッジホルダ１９に対する回動角度に対して、上記ヘッドアーム２８の変位量、回動角度を充分に大きくすることができる。
【０１３５】
【発明の効果】
上述したように、本発明に係るディスクプレーヤ装置は、ホルダ部材にヘッド装置が進入する開口部が形成されたディスクカートリッジが挿入されたときには、検出ピンが開口部からディスクカートリッジ内に進入し、ヘッド装置が第２の位置に移動するようにヘッド支持アームを回動させ、ホルダ部材にヘッド装置が進入する開口部が設けられていないディスクカートリッジが挿入されたときには、検出ピンをディスクカートリッジに当接させてヘッド装置が第１の位置に移動するようにヘッド支持アームを回動させ、ヘッド装置のディスクカートリッジへの接触を阻止し、ヘッド装置の位置をディスクカートリッジの種類に応じて正確に、しかも確実に制御することができる。
【０１３９】
また、ヘッド操作部材を、ホルダ部材に設けたヘッド装置をホルダ部材内に進入させる透孔を挟んでヘッド支持アームに対向する位置に軸を介して回動可能に支持し、ヘッド支持アーム側に向けた一端側部分によりヘッド支持アームを支持するように構成されることにより、ヘッド操作部材の回動角度に対して、ヘッド支持アームの回動角度を充分に大きくすることができる。
【０１４１】
すなわち、本発明は、装置構成の簡素化、小型化を図るとともに、装着される記録媒体の種別に応じた確実な磁気ヘッド装置の位置の制御が行えるようになされたディスクプレーヤ装置を提供することができるものである。
【図面の簡単な説明】
【図１】  本発明に係るディスクプレーヤ装置に再生専用ディスクカートリッジが装着された状態を示す斜視図である。
【図２】  上記ディスクプレーヤ装置に記録再生兼用ディスクカートリッジが装着された状態を示す斜視図である。
【図３】  上記ディスクプレーヤ装置がディスクカートリッジの挿入及び排出操作を可能としている状態を示す斜視図である。
【図４】  上記ディスクプレーヤ装置の要部である磁気ヘッド支持アームの構成を示す要部拡大斜視図である。
【図５】  上記ディスクプレーヤ装置に再生専用ディスクカートリッジが装着された状態を一部を破断して示す側面図である。
【図６】  上記ディスクプレーヤ装置がディスクカートリッジの挿入及び排出操作を可能としている状態を一部を破断して示す側面図である。
【図７】  上記ディスクプレーヤ装置に記録再生兼用ディスクカートリッジが装着された状態を一部を破断して示す側面図である。
【図８】  本発明に係るディスクプレーヤ装置の構成の他の例を一部を破断して示す側面図である。
【図９】  本発明に係るディスクプレーヤ装置の構成のさらに他の例を一部を破断して示す側面図である。
【図１０】  上記ディスクプレーヤ装置において記録媒体として使用される記録再生兼用ディスクカートリッジの構成を示す上面側より臨んだ斜視図である。
【図１１】  上記記録再生兼用ディスクカートリッジの構成を示す底面側より臨んだ斜視図である。
【図１２】  上記ディスクプレーヤ装置において記録媒体として使用される再生専用ディスクカートリッジの構成を示す上面側より臨んだ斜視図である。
【図１３】  上記再生専用ディスクカートリッジの構成を示す底面側より臨んだ斜視図である。
【符号の説明】
１  ヘッドリフト板  ４  検出ピン  １９  カートリッジホルダ  ２８  ヘッドアーム  ２９  ストッパアーム  ３０  ジンバルバネ  ３１  磁気ヘッド装置  １０１  光磁気ディスク  １２０  記録再生兼用ディスクカートリッジ  １２１  再生専用カートリッジ  １２３  磁気ヘッド用開口部
【図１】
0003653765.tif 000002
【図２】
0003653765.tif 000003
【図３】
0003653765.tif 000004
【図４】
0003653765.tif 000005
【図５】
0003653765.tif 000006
【図６】
0003653765.tif 000007
【図７】
0003653765.tif 000008
【図８】
0003653765.tif 000009
【図９】
0003653765.tif 000010
【図１０】
0003653765.tif 000011
【図１１】
0003653765.tif 000012
【図１２】
0003653765.tif 000013
【図１３】
0003653765.tif 000014